(57)【特許請求の範囲】
【請求項１】
レンズシートに記録を行う記録ヘッドと、
前記レンズシートを給紙する給紙ローラを有する給紙部と、を有し、
前記給紙部には、１枚の前記レンズシートを側面に接触させて搬送をガイドする側面ガイド部と、
前記１枚のレンズシートの上方への動きを規制する上面ガイド部と、を有するガイド部を備え、
前記ガイド部は、前記給紙ローラの手前の位置に亘って備えることを特徴とする記録装置。
【請求項２】
一方の面にレンチキュラーレンズが形成されるレンズシートであって、
前記レンチキュラーレンズの線条方向と、前記レンズシートを前記給紙部から給送する方向とが一致することを特徴とする請求項１に記載の記録装置。
【発明の詳細な説明】
【技術分野】
【０００１】
本発明は、レンチキュラーレンズを有する記録媒体に対して記録を行うことができる記録装置に関する。
【背景技術】
【０００２】
記録層に重ねてレンチキュラーレンズを有し、記録層に記録された画像をレンチキュラーレンズを介して、立体画像あるいは見る角度によって見える画像の形態等が変わる変り絵画像として見ることができる記録媒体が従来から知られている。かかる記録媒体に記録された画像を所定の立体画像あるいは変り絵画像として見ることができるようにするためには、記録層への記録位置をレンチキュラーレンズのレンズ配列に精度良く対応させて行う必要がある。そのため、例えば、特許文献１には、センサーを用いてレンチキュラーレンズの位置を検出し、この検出結果に基づいて所望の位置に記録を行う手段が開示されている。また、特許文献２には、搬送用トレイに載置された記録媒体がトレイ上で位置ずれしない対策を施し、記録位置の精度を高める手段が開示されている。
【先行技術文献】
【特許文献】
【０００３】
【特許文献１】特許第３４７１９３０号
【特許文献２】特開２００７−１３０７６９号
【発明の概要】
【発明が解決しようとする課題】
【０００４】
しかしながら、特許文献１の手段による場合は、センサーを備える必要がありコスト高を招くと言う問題がある。また、特許文献２の手段による場合は、記録媒体の搬送用トレイに対する位置ずれを防止することはできるが、搬送用トレイが搬送方向に対して傾斜した状態で搬送されてしまう場合には、記録位置の精度を高めることができない。
【０００５】
そこで、本発明は、簡単な構成で記録位置の精度を上げることができる記録媒体および記録装置を提供することを目的とする。
【課題を解決するための手段】
【０００６】
上記課題を解決するために、本発明は、レンチキュラーレンズを有する記録媒体であって、記録媒体に記録を行う記録装置に備えられる記録媒体を支持するための支持手段に記録媒体を所定の搬送方向にガイドするために設けられるガイド部によりガイドされる被ガイド部を備えることとする。
【０００７】
記録媒体をこのように構成することで、記録媒体が記録媒体ガイド溝に沿って搬送されるため、記録媒体の搬送方向を一定に維持することができ、記録媒体への記録位置の精度が向上する。
【０００８】
また、他の発明は、上述の発明に加えて、ガイド部はガイド溝であり、被ガイド部は、ガイド溝に嵌合する凸条であることとする。
【０００９】
記録媒体をこのように構成することで、ガイド状態をより確実に維持することができる。
【００１０】
また、他の発明は、上述の発明に加えて、被ガイド部は、レンチキュラーレンズの部分に剥離可能に貼着され、貼着面は、レンチキュラーレンズと同一形状となっていることとする。
【００１１】
記録媒体をこのように構成することで、記録媒体の個体差なく被ガイド部を記録媒体に対して貼着することができる。
【００１２】
また、他の発明は、上述の発明に加えて、被ガイド部は、複数設けられていることとする。
【００１３】
記録媒体をこのように構成することで、記録媒体の搬送方向をより一定に維持することができ、記録媒体への記録位置の精度が向上する。
【００１４】
また、他の発明は、上述の発明に加えて、被ガイド部は、記録媒体の記録領域外に備えられ、被ガイド部と記録領域との間には切り離し構造が形成されていることとする。
【００１５】
記録媒体をこのように構成することで、被ガイド部を記録領域から簡単に切り離すことができる。
【００１６】
また、他の発明は、上述の発明に加えて、被ガイド部は、記録媒体の搬送方向の少なくとも一方の縁部から突出していることとする。
【００１７】
記録媒体をこのように構成することで、被ガイド部をガイド部に嵌合する際に、被ガイド部の記録媒体の前端部から突出した部分を目印にして、被ガイド部をガイド部に容易に位置合わせすることができる。また、被ガイド部が記録媒体の後端部から突出した部分を設けることで、記録媒体への記録が完了するまで被ガイド部をガイド部にガイドさせることができるので、ガイド状態をより確実に維持することができる。
【００１８】
上記課題を解決するために、本発明は、レンチキュラーレンズを有する記録媒体を搬送すると共に記録媒体に対して記録を行う記録装置であって、記録媒体を支持する支持手段と、支持手段に設けられ、上述の記録媒体に備えられる被ガイド部をガイドするガイド部とを有することとする。
【００１９】
記録装置をこのように構成することで、記録媒体が記録媒体ガイド溝に沿って搬送されるため、記録媒体の搬送方向を一定に維持することができ、記録媒体への記録位置の精度が向上する。
【００２０】
また、他の発明は、上述の発明に加えて、ガイド部は、支持手段に固定されていることとする。
【００２１】
記録装置をこのように構成することで、ガイド部およびガイド溝による被ガイド部のガイド状態が変化することを防ぎガイドを確実に行うことができるため、記録媒体の搬送方向を一定に維持可能となり、記録媒体への記録位置の精度が向上する。
【００２２】
また、他の発明は、上述の発明に加えて、ガイド部の被ガイド部と摺接する部分は、耐磨耗処理が施されていることとする。
【００２３】
記録装置をこのように構成することで、ガイド部の磨耗変形を防止できる。このため、記録媒体の搬送方向を一定に維持することができ、記録媒体への記録位置の精度が向上する。
【図面の簡単な説明】
【００２４】
【図１】本発明の第１の実施の形態に係るレンズシートおよび記録装置の後方斜視図である。
【図２】図１に示す記録装置からレンズシートを取り外した状態を示す図である。
【図３】図１および図２に示すレンズシートの構成を示す分解図である。
【図４】レンズシートの第１の変形例の構成を示す分解図である。
【図５】レンズシートの第２の変形例の構成を示す分解図である。
【図６】レンズシートの第３の変形例の構成を示す後方斜視図である。
【図７】記録装置の第１の変形例の構成を示す前方斜視図である。
【図８】レンズシートの第４の変形例および記録装置の第２の変形例を示し、記録装置からレンズシートを外した状態を示す図である。
【図９】レンズシートの第２の実施の形態の構成を示す斜視図である。
【図１０】レンズシートの第５の変形例の構成を示す後方斜視図である。
【図１１】図１０に示すレンズシートを作成するための治具の構成を示す斜視図である。
【図１２】レンズシートの第３の実施の形態および記録装置の第２の実施の形態を示し、記録装置からレンズシートを取り外した状態を示す図である。
【図１３】レンズシートの第４の実施の形態および記録装置の第２の変形例を示し、記録装置からレンズシートを取り外した状態を示す図である。
【図１４】検査用画像の記録内容を示す図である。
【図１５】検査用画像をレンチキュラーレンズの側から見たときの画像を示す図である。
【発明を実施するための形態】
【００２５】
（第１の実施の形態）
以下に、本発明の第１の実施の形態に係るレンズシート１および記録装置２について、図１から図３を参照しながら説明する。
【００２６】
図１は、記録媒体としてのレンズシート１が装填された状態の記録装置２の概略の構成を示す概略構成図であり、記録装置２を後方から見た斜視図である。図２は、図１に示す記録装置２からレンズシート１を取り外した状態を示す図である。図３は、レンズシート１の構成を示す分解斜視図である。なお、以下の説明では、図１および図２において、レンズシート１が進行する方向である矢印Ｘの方向を前方（前側）とし、この反対方向を後方（後側）とする。また、後方から前方に向かって右手方向となる矢印Ｙの方向を右方（右側）とし、この反対方向である左手方向を左方（左側）とする。そして、矢印Ｚの方向を上方（上側）とし、この反対方向を下方（下側）とする。
【００２７】
記録装置２は、外装体である筐体３と、レンズシート１が載置され、レンズシート１の下側をガイドする支持手段としてのシートガイド４と、このシートガイド４の上に載置されたレンズシート１を後方から前方に向けて搬送する給紙ローラ５および排紙ローラ６と、レンズシート１に対して記録を行う記録ヘッド７等を有する。
【００２８】
レンズシート１は、図２に示すように、透明な樹脂シート８の一方の面にレンチキュラーレンズ９が形成され、他方の面には画像形成層１０が形成されている。このレンズシート１は、画像形成層１０に記録された画像をレンチキュラーレンズ９を介して視認することができるように構成されている。したがって、例えば、画像形成層１０に、レンチキュラーレンズ９の配設ピッチや焦点距離等に対応させて視差のある画像を記録し、この画像をレンチキュラーレンズ９の側から視認すると、立体感のある画像として、あるいは見る角度によって異なる画像として視認することができるというものである。なお、レンズシート１は画像形成層１０を形成することなく、レンチキュラーレンズ９が形成される側と反対の面の樹脂部に直接記録を行う構成のものとしてもよい。
【００２９】
また、レンズシート１には、レンチキュラーレンズ９が形成される側に被ガイド部としての凸条部１１が設けられている。この凸条部１１は、レンズシート１の左右方向の略中央に、前後方向、すなわち、レンチキュラーレンズ９を構成するレンズ要素１２（例えば、シリンドリカルレンズ）の線条方向（母線方向）に沿って、レンズシート１の後端縁１Ｒから前端縁１Ｆに亘って設けられている。凸条部１１の左右の側面１１Ｓは、レンズシート１の上面、すなわち記録ヘッド７により記録が行われる記録面１３に直角な面であり、かつ、レンズ要素１２の線条方向に沿って伸びる互いに平行な滑らかな平面となっている。また、凸条部１１の下面１１Ｄは、上述の記録面１３に平行な滑らかな平面となっている。このように構成される凸条部１１は、後述する記録装置２に設けられるガイド溝１４に嵌合し、このガイド溝１４によるガイドを受ける。
【００３０】
筐体３の後側の側面には、シートガイド４に載置されたレンズシート１を筐体３内に供給するための給紙開口部１５が形成され、また、前側の側面には、給紙開口部１５の側から供給されたレンズシート１を排出する排紙開口部１６が形成されている。給紙開口部１５から記録装置２に供給されたレンズシート１は、給紙ローラ５および排紙ローラ６により前方に向かって搬送され、搬送される間に、記録ヘッド７により記録が行われる。
【００３１】
図１および図２に示すように、シートガイド４は全体として矩形の板状体を呈し、前後方向が、給紙開口部１５の後方に突出した位置から給紙ローラ５の手前の位置に亘って備えられ、レンズシート１が全面に亘って載置される大きさと形状となっている。シートガイド４の上面、すなわち、載置されたレンズシート１が搬送される搬送面１７は、給紙ローラ５と排紙ローラ６の上部と略同一の高さとなる位置に配設されている。このシートガイド４は、筐体３、または内部のフレーム等の構造体に対して図示を省略する構成により取り付けられている。シートガイド４の搬送面１７には、凸条部１１が嵌合するガイド溝１４が形成されている。
【００３２】
ガイド溝１４は、記録装置２におけるレンズシート１の所定の搬送方向、すなわち、本実施の形態では、記録ヘッド７の移動方向である主走査方向に直交する方向に沿って形成されている。ガイド溝１４は、シートガイド４の左右方向略中央に設けられ、シートガイド４の前端縁４Ｆから後端縁４Ｒに亘って貫通し、後方から見た断面形状において矩形を呈している。つまり、ガイド溝１４は、その左右の内側面１４Ｓが、レンズシート１が載置され搬送される搬送面１７に直角であり、そして、左右の内側面１４Ｓは、主走査方向に直交するように前後方向に互いに平行に伸びる滑らかな平面となっている。また、ガイド溝１４の内側の底面１４Ｂは搬送面１７に平行な滑らかな平面となっている。
【００３３】
レンズシート１の凸条部１１とシートガイド４のガイド溝１４は、凸条部１１をガイド溝１４に嵌合させたときに、ガイド溝１４に対して凸条部１１が左右方向にがたつくことなく、かつ、レンズシート１がシートガイド４に対して前後方向へ移動できる状態となるように構成されている。つまり、ガイド溝１４の溝幅１４Ｗと凸条部１１の凸条幅１１Ｗは、凸条部１１をガイド溝１４に嵌合させたときに、ガイド溝１４に対して凸条部１１が左右方向にがたつくこと無く、かつ、レンズシート１をシートガイド４に対して前後方向に移動できるように寸法公差が設定されている。
【００３４】
給紙ローラ５は、給紙用モータ１８により回転駆動され、また、排紙ローラ６は、排紙用モータ１９により回転駆動される。給紙ローラ５の上側には、給紙ローラ５の回転に追従して回転する給紙側従動ローラ２０が左右方向に例えば３つ備えられている。また、排紙ローラ６の上側には、排紙ローラ６の回転に追従して回転する排紙側側従動ローラ２１が左右方向に例えば３つ備えられている。したがって、給紙開口部１５から記録装置２に供給されたレンズシート１は、給紙ローラ５と給紙側従動ローラ２０との間、および排紙ローラ６と排紙側側従動ローラ２１との間に挟まれて、給紙ローラ５と排紙ローラ６の回転を受けて、後方から前方に向かって搬送される。そして、搬送されるレンズシート１に対して記録ヘッド７により記録が行われた後、排紙開口部１６から記録装置２の外部に排出される。
【００３５】
排紙ローラ６の前方には、記録ヘッド７により記録が行われ排紙開口部１６から排出されるレンズシート１の下面を支持する排紙側シートガイド２２が設けられている。この排紙側シートガイド２２は、排紙ローラ６から送り出されたレンズシート１が下方に撓み凸条部１１がガイド溝１４から外れてしまったり、また、レンズシート１の凸条部１１の前端縁１１Ｆが排紙側シートガイド２２の後端縁２２Ｒに当たってしまわないように、その上面２２Ｔの高さや前後方向の長さが設定されている。
【００３６】
給紙ローラ５と排紙ローラ６との間の上方には、記録ヘッド７が配設されている。記録ヘッド７は、キャリッジ２３の下面に取り付けられ、本実施の形態では、インクを吐出するインクジェット型の記録ヘッドとして構成されている。キャリッジ２３は、左右方向に延設されるキャリッジガイド２４に移動可能に支持され、また、キャリッジ用モータ２５により駆動されるタイミングベルト２６に取り付けられている。このため、キャリッジ用モータ２５によりタイミングベルト２６を左右方向に回転駆動すると、キャリッジ２３と共に記録ヘッド７はキャリッジガイド２４に沿って左右方向に移動することができる。
【００３７】
したがって、給紙ローラ５と排紙ローラ６によるレンズシート１の搬送方向である副走査方向への搬送を制御すると共に、記録ヘッド７の移動方向である主走査方向、すなわち左右方向への移動を制御することで、記録ヘッド７をレンズシート１の所定位置に移動することができ、レンズシート１の所望の位置に画像を記録することができる。なお、レンズシート１は、画像形成層１０の側を記録ヘッド７に対向させられ、レンチキュラーレンズ９がシートガイド４に接触するようにシートガイド４に載置させられている。つまり、記録ヘッド７により画像形成層１０に対して記録が行われ、レンチキュラーレンズ９の側から画像形成層１０に記録された画像を視認することができる記録物が製作されることになる。
【００３８】
上述したように構成される記録装置２によりレンズシート１に対して記録を行う場合には、レンズシート１を、レンチキュラーレンズ９の側をシートガイド４の搬送面１７に向け、また、凸条部１１がガイド溝１４に嵌合するようにして、シートガイド４の上に載置する。凸条部１１とガイド溝１４は、上述したように、凸条部１１がガイド溝１４に対して左右方向にがたつくこと無く、かつ、レンズシート１がシートガイド４に対して前後方向に移動できるように寸法公差が設定されている。したがって、レンズシート１は凸条部１１のガイド溝１４への嵌合により左右方向（主走査方向）の位置決めが行われた状態となる。つまり、レンズシート１は、凸条部１１とガイド溝１４とによりシートガイド４の上で回転してしまったり左右方向に動いてしまわないように位置決めされることになる。
【００３９】
そのため、給紙ローラ５および排紙ローラ６により搬送されるレンズシート１は、主走査方向と直交する方向に沿って一定の搬送方向が維持された状態で搬送されることにより、記録ヘッド７によるレンズシート１への記録を所定の位置に行うことができる。
【００４０】
ここで、レンズシート１への凸条部１１の設け方について、図３を参照しながら説明する。図３に示すように、凸条部１１は、レンズシート１とは別個に作成されていて、後述するようにレンズシート１に剥離可能に貼り付けることとしている。凸条部１１は、例えば、レンズシート１とは別の同一構成のレンズシートをレンズ要素の線条方向に沿って一定の幅で切断し切り出すことで作成する。このようにして切り出し用のレンズシートから切り出された凸条部１１は、一方の面に、レンズシート１のレンチキュラーレンズ９と同一形状のレンチキュラーレンズ部２７を有し、切り出し用のレンズシートからの切断面が側面１１Ｓとなっている。また、切り出し用のレンズシートの記録面の部分が下面１１Ｄとなっている。なお、切り出し用のレンズシートから凸条部１１を切り出す際には、凸条部１１の側面１１Ｓとなる切断面が、切り出しを行うレンズシートの記録面に直角になるように切断を行い、側面１１Ｓと下面１１Ｄとが互いに直角となるようにする。
【００４１】
このようにして作成された凸条部１１を、レンチキュラーレンズ部２７の側をレンズシート１のレンチキュラーレンズ９に向け、また、レンチキュラーレンズ部２７の線条方向をレンチキュラーレンズ９の線条方向に沿わせる。そして、凸条部１１のレンチキュラーレンズ部２７をレンズシート１のレンチキュラーレンズ９に対して剥離可能な状態で貼り付ける。例えば、シリコーン接着剤やアクリル系粘着剤等の再粘着性を有する粘着剤を使用して凸条部１１とレンズシート１との貼り合わせることで、凸条部１１をレンズシート１に剥離可能な貼り付けを行うことができる。このようにレンズシート１に取り付けられた凸条部１１は、左右の側面１１Ｓが、記録面１３に直角であり、また、レンズ要素１２の線条方向（母線方向）に沿って伸びる互いに平行な面となっている。また、凸条部１１の下面１１Ｄは、記録面１３に平行となっている。
【００４２】
したがって、凸条部１１をガイド溝１４に嵌合させ、ガイド溝１４に凸条部１１をガイドさせながらシートガイド４上を搬送されるレンズシート１は、主走査方向に沿って一定の搬送方向が維持された状態で搬送されることにより、記録ヘッド７によるレンズシート１への記録が所定の位置に行われることになる。
【００４３】
凸条部１１は上述したようにレンズシート１と同一構成のレンズシートをレンチキュラーレンズの線条方向に沿って切断して作成したものであり、レンズシート１と同じ肉厚の細長い短冊状のシート体を呈している。例えば、レンズシート１の左右の幅がＡ４サイズの短手方向に対応して概ね２４センチであるのに対し、凸条部１１は、１センチ前後の左右幅となっている。そのためレンズシート１自体は全体として大きく撓む特性を有するが、凸条部１１についてはその左右方向の幅が狭いため左右方向からの応力に対して撓み量が少ないものとなっている。このように凸条部１１は可撓性を有するシート体であるが、応力を受ける方向の幅を狭いものとすることで撓み量を小さくすることができ、ガイド溝１４によりガイドされる際に変形が少なくレンズシート１の搬送方向を一定に維持し易いものとなっている。
【００４４】
なお、ガイド溝１４は、シートガイド４と一体に形成することでシートガイド４に固定された構成とする。例えば、シートガイド４を成型により作成することにより、ガイド溝１４をシートガイド４と一体成型することができる。また、シートガイド４をガイド溝１４に対応する部分を切削加工することによってもガイド溝１４をシートガイド４に一体に形成することができ、ガイド溝１４をシートガイド４に固定された構成とすることができる。
【００４５】
このように、ガイド溝１４をシートガイド４に一体に形成し固定することで、ガイド溝１４の溝幅１４Ｗを変化し難い固定されたものとすることができる。そのため、凸条部１１のガイド状態が変化してしまうことなく確実に行うことができ、レンズシート１の搬送方向を一定に維持し易いものとなっている。
【００４６】
ところで、レンズシート１の搬送が行われる際には、凸条部１１とガイド溝１４の内側面１４Ｓとは互いに摺接する。そこで、ガイド溝１４の内側面１４Ｓに、金属製のテープを貼着したり、フッ素樹脂を被覆する等の手段を施すことで、内側面１４Ｓに耐磨耗性を持たせるようにしてもよい。このように、内側面１４Ｓに耐摩耗性を持たせることで、内側面１４Ｓの磨耗変形を抑えることができ、レンズシート１の搬送精度を長期間あるいは多数回の搬送に亘って維持することができる。
【００４７】
なお、凸条部１１のレンズシート１への貼り合わせは、上述したように、凸条部１１のレンチキュラーレンズ部２７とレンズシート１のレンチキュラーレンズ９とが互いに線条方向に沿うように貼り合わせる必要があるが、例えば、次のように行う。
【００４８】
凸条部１１とレンズシート１の貼り合わせを行う粘着材は、凸条部１１のレンチキュラーレンズ部２７の側に塗布し、そして、レンチキュラーレンズ部２７の一部に粘着材を塗布しない非接着部分を設けておく。凸条部１１をレンチキュラーレンズ９に貼り合わせる際には、先ず、レンチキュラーレンズ部２７の該非接着部分のみをレンチキュラーレンズ９に沿わせる。そして、この沿わせた状態で凸条部１１を左右に僅かに動かしたり左右に回転し、レンチキュラーレンズ部２７とレンチキュラーレンズ９が噛み合い、凸条部１１が左右に動かなくなる状態とする。この状態のとき、凸条部１１のレンチキュラーレンズ部２７とレンズシート１のレンチキュラーレンズ９の互いの線条方向が一致している状態となっている。そうして、レンチキュラーレンズ部２７の粘着材が塗布されている部分をレンチキュラーレンズ９に沿わせ貼り合わせ、凸条部１１をレンズシート１に固定する。
【００４９】
凸条部１１のレンチキュラーレンズ部２７をレンズシート１のレンチキュラーレンズ９と同一ピッチとすることで、容易に凸条部１１をレンチキュラーレンズ９の線条方向に沿ってレンズシート１に設けることができる。また、レンチキュラーレンズ部２７とレンチキュラーレンズ９が噛み合っている状態で、レンチキュラーレンズ部２７とレンチキュラーレンズ９の互いの線条方向が一致している状態となっているので、レンズシート１の個体差なく、凸条部１１をレンチキュラーレンズ９の線条方向に沿ってレンズシート１に設けることができる。
【００５０】
レンズシート１と凸条部１１が共に画像形成層１０が備えられていない透明なものであるときは、レンチキュラーレンズ部２７とレンチキュラーレンズ９の互いの線条方向が一致しているかどうかの判断は、該非粘着部をレンチキュラーレンズ９に沿わせた状態で、凸条部１１からレンチキュラーレンズ９（あるいはレンチキュラーレンズ９から凸条部１１）に透過する光の干渉縞を観測し、干渉縞が無くなった状態を、レンチキュラーレンズ部２７とレンチキュラーレンズ９の互いの線条方向が一致しているものとしてもよい。
【００５１】
（レンズシートの変形例１）
図４にレンズシート１の第１の変形例であるレンズシート３０の構成を示す。なお、上述の第１の実施の形態で説明したのと同様の構成については、同一の符号を付すこととし、その説明を省略する。
【００５２】
上述のレンズシート１の凸条部１１は、レンチキュラーレンズ部２７がレンチキュラーレンズ９と同一形状となっている。しかしながら、レンズシート３０は、凸条部１１に換えて、レンチキュラーレンズ９が丁度嵌る凹部３１を有する凸条部３２を被ガイド部としている。なお、凸条部１１は、レンチキュラーレンズ部２７がレンチキュラーレンズ９と同一形状であるため、上述のようにレンズシート１と同一構成の切り出し用レンズシートから切り出すことで作成することができたが、凸条部３２については、レンズシート１とは別の異なる型を用いる樹脂成形等により作成することとなる。そして、凸条部３２は、凹部３１がレンズシート１のレンチキュラーレンズ９に嵌るようにレンズシート１に、再粘着性の粘着剤により貼り合わせられている。
【００５３】
（レンズシートの変形例２）
図５にレンズシート１の第２の変形例であるレンズシート４０の構成を示す。
【００５４】
レンズシート４０は、レンチキュラーレンズ４１がその線条方向をレンズシート４０の側辺に傾斜させて配設されている、いわゆる斜めレンズシートと称されるものである。このようなレンズシート４０に設けられる被ガイド部としての凸条部４２は、レンチキュラーレンズ部４３をレンチキュラーレンズ４１と同一形状としている。さらに、凸条部４２は、左右の側面４２Ｓを互いに平行としている。また、レンチキュラーレンズ部４３と側面４２Ｓとの成す角度が、レンチキュラーレンズ４１とレンズシート４０の側辺との成す角度と同一となっている。つまり、例えば、凸条部４２は、レンズシート４０と同一のレンズシートから側面４２Ｓに相当する部分が該レンズシートの側辺に平行となるように短冊状に切り出すことで作成される。
【００５５】
このようにレンチキュラーレンズ部４３をレンチキュラーレンズ４１と同一形状とし、かつ、レンチキュラーレンズ部４３と側面４２Ｓとの成す角度をレンチキュラーレンズ４１とレンズシート４０の左右（短手方向）の側辺４２Ｓの成す角度と同一とする。これにより、レンチキュラーレンズ部４３とレンチキュラーレンズ４１とが互いに線条方向に沿うようにして、凸条部４２をレンズシート４１に貼りあわせることで、凸条部４２の側面４２Ｓをレンズシート４０の側辺４０Ｓに平行に配設することができる。
【００５６】
（レンズシートの変形例３）
図６にレンズシート１の第３の変形例であるレンズシート５０の構成を示す。なお、上述の第１の実施の形態で説明したのと同様の構成については、同一の符号を付すこととし、その説明を省略する。
【００５７】
レンズシート５０には、図６に示すように、被ガイド部としての凸条部５１の先端部にレンズシート５０の前端部５０Ｆから前方に突出させた突出部５２が設けられている。このように前端部５０Ｆから前方に突出した突出部５２を設けることで、レンズシート５０をシートガイド４に載置する際に、突出部５２をレンズシート５０の上面（記録面１３）側から視認することができる。そのため、凸条部５１をガイド溝１４に嵌める際に、凸条部５１をガイド溝１４に容易に位置合わせすることができる。
【００５８】
また、凸条部５１の後端部に、点線で示すようにレンズシート５０の後端部５０Ｒから後方に突出する突出部５３を設けてもよい。このように後端部５０Ｒから後方に突出する突出部５３を設けることで、レンズシート５０への記録が完了するまで凸条部５１をガイド溝１４にガイドさせることができる。そのため、レンズシート５０のガイド状態をより確実に維持することができ、搬送方向が一定に維持され易いものとなる。
【００５９】
（記録装置の変形例１）
図７に記録装置１の第１の変形例である記録装置６０の構成を示す。上述の第１の実施の形態で説明したのと同様の構成については、同一の符号を付すこととし、その説明を省略する。記録装置６０は、支持手段としてのシートガイド６１の構成を除いて、上述の記録装置２と同様の構成となっている。
【００６０】
シートガイド６１は、記録装置２のシートガイド４が筐体３に対し水平に取り付けられているのに対し、上方に傾斜する構成となっている。このようにシートガイド６１を構成する場合には、加重ローラ６２をシートガイド４の湾曲部６３の位置に備える。
【００６１】
このように加重ローラ６２を備えることにより、湾曲部６３で凸条部１１がガイド溝１４から外れることを防止することができる。加重ローラ６２は、軸受部６４に軸部６５を介して支持されている。軸部６５は軸受部６４に形成される上下方向に長い長孔６４Ａに回転自在に軸支され、加重ローラ６２の下側を通過するレンズシート１により持ち上げられるように構成されている。したがって、加重ローラ６２の下側を通過するレンズシート１は加重ローラ６２によりシートガイド６１に対して押圧され、凸条部１１とガイド溝１４との嵌合が維持される。
【００６２】
（レンズシートの変形例４、記録装置の変形例２）
図８にレンズシート１の第４の変形例であるレンズシート７０と記録装置２の第２の変形例である記録装置７１の構成を示す。なお、上述の第１の実施の形態で説明したのと同様の構成については、同一の符号を付すこととし、その説明を省略する。
【００６３】
レンズシート７０は、図８に示すように、凸条部１１と同様の構成の凸条部７２が左右に設けられている。また、シートガイド７３は、凸条部７２に対応して、上述のガイド溝１４と同様の構成のガイド溝７４が左右に設けられている。なお、記録装置７１は、シートガイド７３の構成を除いて上述の記録装置２と同一の構成となっている。このように、レンズシート７０を２箇所でガイドするようにすることで、レンズシート７０のシートガイド７３に対する左右方向への位置決めをより確実に行うことができ、レンズシート７０の主走査方向に沿った搬送の維持をより確実に行うことができる。そのため、記録ヘッド７によるレンズシート７０への記録位置の精度をより向上させることができる。
【００６４】
（レンズシートの第２の実施の形態）
次に、図９を参照しながら、本発明の第２の実施の形態に係るレンズシート８０の構成について説明する。なお、上述の第１の実施の形態およびその変形例で説明したのと同様の構成については、同一の符号を付すこととし、その説明を省略する。
【００６５】
レンズシート８０は、記録領域８１とこの記録領域８１の左右の外側に凸条部設置領域８２が設けられている。この凸条部設置領域８２には記録領域８１と同様にレンチキュラーレンズ９が設けられ、また記録領域８１と一体に形成されているが、両者の間には、前後方向に沿って切り離し構造としてのミシン目８３が形成されている。したがって、凸条部設置領域８２は記録領域８１から切り取り可能になっている。なお、ミシン目８３に代えてＶ字型の溝を形成することによっても、凸条部設置領域８２を記録領域８１から容易に切り離すことができる。
【００６６】
各凸条部設置領域８２には、それぞれ上述した凸条部１１と同様の構成の凸条部８４が貼り付けられ被ガイド部が構成されている。このように凸条部８４が左右に備えられたレンズシート８０は、図８に示す２本のガイド溝７４が設けられるシートガイド７３上に載置され、ガイド溝７４により凸条部８４がガイドされながら搬送され、記録ヘッド７により記録が行われる。そして、記録が終わった後のレンズシート８０から凸条部設置領域８２をミシン目８３に沿って切り離し、記録領域８１の部分を記録物として得ることになる。
【００６７】
上述のようにレンズシート８０の凸条部８４は記録領域８１を外れた部分に設けられている。これに対し、例えば、記録領域８１に、凸条部８４を貼り付け、記録が終わった後、貼り付けた凸条部８４を剥がすこととした場合には、レンチキュラーレンズ９に粘着材が残ったり、剥離時にレンチキュラーレンズ９を損傷する等し、レンチキュラーレンズ９を介して見える画像が劣化する虞がある。しかしながら、本実施の形態のレンズシート８０のように記録領域８１を外れた部分に凸条部８４を設けることで、記録領域８１のレンチキュラーレンズ９を損傷してしまう等の問題の発生を防ぐことができる。なお、凸条部８４の凸条部設置領域８２への固定は剥離可能にする必要はなく、剥離を予定しない強固な接着としてもよい。
【００６８】
なお、凸条部設置領域８２は、記録領域８１から切り離されてしまうため、この凸条部設置領域８２には記録を行う必要がない。そのため、記録装置７１に入力される画像データは、記録領域８１の左右幅に対応した画像データとすることが好ましい。
【００６９】
（レンズシートの変形例５）
図１０にレンズシート８０の変形例であるレンズシート９０の構成を示す。なお、上述の第１の実施の形態等で説明したのと同様の構成については、同一の符号を付すこととし、その説明を省略する。
【００７０】
レンズシート９０は、上述のレンズシート８０の記録領域８１と同様に記録領域９１とこの記録領域９１の左右の外側に凸条部設置領域９２が設けられ、この凸条部設置領域９２に凸条部９３が設けられている。しかしながら、この凸条部設置領域９２には凸条部設置領域８２のようにレンチキュラーレンズ９は設けられてない。また、凸条部９３も凸条部８４のようにレンチキュラーレンズ部２７は形成されていない。つまり、凸条部９３はレンチキュラーレンズ部２７に相当する部分を有しない細長い矩形のシート体を呈し、凸条部設置領域９２の樹脂シート８部分に直接設けられる被ガイド部として構成されている。
【００７１】
凸条部９３は、前後方向、すなわち、レンズ要素１２の線条方向に沿って、レンズシート９０の後端縁９０Ｒから前端縁９０Ｆに亘って設けられている。凸条部９３の左右の側面９３Ｓは、レンズシート９０の上面である記録面１３に直角な面であり、かつ、レンズ要素１２の線条方向に沿って伸び互いに平行な滑らかな平面となっている。また、凸条部９３の下面９３Ｄは記録面１３に平行な滑らかな平面となっている。このように構成される凸条部９３は、図８に示す記録装置７１に設けられるガイド溝７４に嵌合し、このガイド溝７４によるガイドを受ける。
【００７２】
したがって、レンズシート９０はレンズシート７０と同様に、図６に示す２本のガイド溝７４が設けられるシートガイド７３上に載置し、ガイド溝７４により凸条部９３がガイドされながら搬送される。つまり、レンズシート９０は、主走査方向と直交する方向に沿った搬送が維持された状態で記録が行われる。記録が終わった後のレンズシート９０は、凸条部設置領域９３がミシン目９４に沿って切り離され、記録領域９１の部分が記録物となる。レンズシート９０もレンズシート８０のように記録領域９１を外れた部分に凸条部９３が設けられているので、記録領域９１のレンチキュラーレンズ９を損傷してしまう等の問題の発生を防ぐことができる。
【００７３】
凸条部９３は、レンチキュラーレンズ９および樹脂シート８と共に金型一体成形により設ける他、図１１に示す治具９５を用いてレンチキュラーレンズ９と凸条部９３に樹脂シート８を貼り付けるようにして作成しても良い。治具９５を用いる場合は、凹部９５Ａにレンチキュラーレンズ９を嵌め込み、また、凹部９５Ｂに凸条部９３となる樹脂シート体を嵌め込む。そして、その上から樹脂シート８をレンチキュラーレンズ９と凸条部９３に貼り付け、凸条部９３が設けられたレンズシート９０を作成する。
【００７４】
（レンズシートの第３の実施の形態、記録装置の第２の実施の形態）
次に、図１２を参照しながら、本発明の第３の実施の形態に係るレンズシート１００と第２の実施の形態に係る記録装置１０１の構成について説明する。なお、上述の第１の実施の形態等で説明したのと同様の構成については、同一の符号を付すこととし、その説明を省略する。
【００７５】
記録装置１０１は、支持手段としてのシートガイド１０２の構成を除いて、上述の記録装置２と同様の構成となっている。シートガイド１０２は、レンズシート１００の下面となるレンチキュラーレンズ９を支持する搬送面１０３と、この搬送面１０３の左右に設けられるガイド溝１０４を有している。ガイド溝１０４は、搬送面１０３となる底板部１０５と、この底板部１０５の左右の両端に備えられる側板部１０６と、各側板部１０６の上端から内側に迫り出す迫出部１０７とにより構成されている。つまり、ガイド溝１０４は、開口部１０４Ｐが左右方向で対向し、底部１０４Ｂを側板部１０６とする溝であって、シートガイド１０２の後端部１０２Ｒから前端部１０２Ｆに貫通する溝として形成されている。
【００７６】
一方、レンズシート１００は、記録領域１０８とこの記録領域１０８の左右の外側に延設される被ガイド部としての突出部１０９が設けられている。そして、レンズシート１００は、シートガイド１０２に載置したときに、突出部１０９がガイド溝１０４に嵌るように構成されている。
【００７７】
突出部１０９の左右の側面１０９Ｓは、レンズシート１００の記録面１３に直角な面であり、かつ、レンズ要素１２の線条方向に沿って伸びる互いに平行な滑らかな平面となっている。突出部１０９の上面１０９Ｔは記録面１３と面一な滑らかな面であり、また、下面１０９Ｄは上面１０９Ｔに平行な滑らかな平面となっている。
【００７８】
また、レンズシート１００は、突出部１０９がガイド溝１０４に嵌るようにシートガイド１０２に載置したときに、側板部１０６の内側面、すなわち底部１０４Ｂに対して左右方向にがたつくことなく、かつ、前後方向に移動できるように寸法公差が設定されている。つまり、左右のガイド溝１０４の底部１０４Ｂの間の間隔１０４Ｗとレンズシート１００の左右の突出部１０９の側面１０９Ｓの間の間隔、すなわち、レンズシート１００の左右の幅１００Ｗは、突出部１０９がガイド溝１０４に嵌合するようにレンズシート１００をシートガイド１０２に載置したときに、レンズシート１００がガイド溝１０４に対して左右方向にがたつくこと無く、かつ、レンズシート１００をシートガイド１０２に対して前後方向に移動できるように寸法較差が設定されている。
【００７９】
したがって、レンズシート１００は突出部１０９がガイド溝１０４に嵌合することにより左右方向（主走査方向）の位置決めが行われた状態となる。つまり、レンズシート１００は、突出部１０９とガイド溝１０４とによりシートガイド１０２の上で回転してしまったり左右方向に動いてしまわないように位置決めされることになる。そのため、給紙ローラ５および排紙ローラ６により搬送されるレンズシート１００は、主走査方向に直交する方向に沿って一定の搬送方向が維持された状態で搬送されることにより、記録ヘッド７によるレンズシート１００への記録を所定の位置に行うことができる。なお、突出部１０９は、前後方向に沿って形成されているミシン目１１０により記録領域１０８から切り取り可能となっていて、レンズシート１００への記録が終わった後、必要に応じて切り取ることができる。
【００８０】
ガイド溝１０４の上下方向の幅１０４Ｔは、突出部１０９が上下にがたつくことなく、かつ、レンズシート１００が前後方向に移動できるように寸法交差が設定されている。そのため、レンズシート１００の上方への湾曲等、レンズシート１００が搬送面１０３から離れてしまうことを防止することができる。レンズシート１００が搬送面１０３から離れてしまうことを防止することで、記録ヘッド７とレンズシート１００の記録面１３との距離を常に保持することができ、記録位置を精度の高いものとすることができる。
【００８１】
なお、搬送面１０３には、ガイド溝１０４の内側の下面１０４Ｄよりレンチキュラーレンズ９の突起の高さ分だけ下がった凹部１１１が形成されている。そのため、突出部１０９がガイド溝１０４に嵌合するようにレンズシート１００をシートガイド１０２に載置したときに、突出部１０９の下面１０９Ｄが、ガイド溝１０４の内側の下面１０４Ｄから浮き上がることなく、突出部１０９がガイド溝１０４にガイドされることになる。
【００８２】
なお、本実施の形態に係るレンズシート１００と記録装置１０１においては、ガイド溝１０４の底部１０４Ｂが、レンズシート１００を所定の搬送方向にガイドする機能を有し、シートガイド１０２においては左右の突出部１０９の側面１０９Ｓが被ガイド部として機能している。
【００８３】
なお、側板部１０６は、底板部１０５に固定されている。つまり、底部１０４Ｂの間の間隔１０４Ｗは変化し難い固定されたものとなっている。そのため、突出部１０９のガイドをガイド状態が変化してしまうことなく確実に行うことができ、レンズシート１００の搬送方向を一定に維持し易いものとなっている。
【００８４】
ところで、レンズシート１００の搬送が行われる際には、突出部１０９はガイド溝１０４の底部１０４Ｂと下面１０４Ｄとに摺接する。そこで、ガイド溝１０４の底部１０４Ｂと下面１０４Ｄとに、金属製のテープを貼着したり、フッ素樹脂を被覆する等の手段を施すことで、底部１０４Ｂおよび下面１０４Ｄとに耐磨耗性を持たせるようにしてもよい。このように、底部１０４Ｂおよび下面１０４Ｄに耐摩耗性を持たせることで、底部１０４Ｂおよび下面１０４Ｄの磨耗変形を抑えることができ、レンズシート１００の搬送精度を長期間あるいは多数回の搬送に亘って維持することができる。
【００８５】
（レンズシートの第４の実施の形態、記録装置の変形例３）
次に、図１３を参照しながら、本発明の第４の実施の形態に係るレンズシート１２０と第２の変形例に係る記録装置１２１の構成について説明する。なお、上述の第１の実施の形態等で説明したのと同様の構成については、同一の符号を付すこととし、その説明を省略する。記録装置１２１は、支持手段としてのシートガイド１２２の構成を除いて、上述の記録装置２と同様の構成となっている。
【００８６】
上述の各レンズシート１，３０、あるいは１００等は、被ガイド部として、凸条部１１，３２等あるいは突出部１０９を設けたが、レンズシート１２０の左右の側面１２０Ｓ自体を被ガイド部としてもよい。一方、シートガイド１２２は、レンズシート１２０の下面となるレンチキュラーレンズ９を支持する搬送面１２３と、この搬送面１２３の左右に設けられるガイド溝１２４を有している。ガイド溝１２４は、搬送面１２３となる底板部１２５と、この底板部１２５の左右の両端に備えられる側板部１２６と、各側板部１２６の上端から内側に迫り出す迫出部１２７とに構成されている。
【００８７】
つまり、ガイド溝１２４は、開口部１２４Ｐが左右方向で対向し、底部１２４Ｂを側板部１２６とする溝であって、シートガイド１２２の後端部１２２Ｒから前端部１２２Ｆに貫通する溝として形成されている。そして、ガイド溝１２４は、レンズシート１２０をシートガイド１２２に載置したときに、レンズシート１２０の左右部分が嵌るように構成されている。
【００８８】
つまり、左右のガイド溝１２４の底部１２４Ｂの間の間隔１２４Ｗとレンズシート１２０の左右の側面部１２０Ｓの間の間隔、すなわち、レンズシート１２０の左右の幅１２０Ｗは、レンズシート１２０の左右の部分をガイド溝１２４に嵌合するようにレンズシート１２０をシートガイド１２２に載置したときに、レンズシート１２０がガイド溝１２４に対して左右方向にがたつくこと無く、かつ、レンズシート１２０をシートガイド１２２に対して前後方向に移動できるように寸法公差が設定されている。
【００８９】
また、レンズシート１２０の左右の側面１２０Ｓは、レンズシート１２０の記録面１３に直角な面であり、かつ、レンズ要素１２の線条方向に沿って伸び互いに平行な滑らかな平面となっている。したがって、レンズシート１２０は、その左右の部分がガイド溝１２４に嵌合するようにシートガイド１２２に載置されることにより、レンズシート１２０の左右の側面１２０Ｓが左右の底部１２４Ｂのガイドを受けることになる。そのため、レンズシート１２０は、左右方向（主走査方向）の位置決めが行われた状態となる。つまり、レンズシート１２０は、ガイド溝１２４によりシートガイド１２２の上で回転してしまったり左右方向に動いてしまわないように位置決めされることになる。つまり、給紙ローラ５および排紙ローラ６により搬送されるレンズシート１２０は、主走査方向に直交する方向に沿って一定の搬送方向が維持された状態で搬送されることになり、記録ヘッド７によるレンズシート１２０への記録を所定の位置に行うことができる。
【００９０】
本実施の形態に係るレンズシート１２０と変形例に係る記録装置１２１においては、ガイド溝１２４の底部１２４Ｂが、レンズシート１２０を所定の搬送方向にガイドする機能を有し、レンズシート１２０においては左右の側面１２０Ｓが被ガイド部として機能している。
【００９１】
また、ガイド溝１２４の上下方向の幅１２４Ｔは、レンズシート１２０が上下にがたつくことなく、かつ、レンズシート１２０が前後方向に移動できるように寸法公差が設定されている。そのため、レンズシート１２０の上方への湾曲等、レンズシート１２０が搬送面１２３から離れてしまうことを防止することができる。レンズシート１２０が搬送面１２３から離れてしまうことを防止することで、記録ヘッド７とレンズシート１２０の記録面１３との距離を常に保持することができ、記録位置を精度の高いものとすることができる。
【００９２】
なお、側板部１２６は、底板部１２５に固定されている。つまり、底部１２４Ｂの間の間隔１２４Ｗは変化し難い固定されたものとなっている。そのため、側面１２０Ｓのガイドをガイド状態が変化してしまうことなく確実に行うことができ、レンズシート１２０の搬送方向を一定に維持し易いものとなっている。
【００９３】
ところで、レンズシート１２０の搬送が行われる際には、側面１２０Ｓはガイド溝１２４の底部１２４Ｂに摺接する。そこで、ガイド溝１２４の底部１２４Ｂに、金属製のテープを貼着したり、フッ素樹脂を被覆する等の手段を施すことで、底部１２４Ｂに耐磨耗性を持たせるようにしてもよい。このように、底部１２４Ｂに耐摩耗性を持たせることで、底部１２４Ｂの磨耗変形を抑えることができ、レンズシート１２０の搬送精度を長期間あるいは多数回の搬送に亘って維持することができる。
【００９４】
上述した各実施の形態あるいはその変形例において、レンズシート１等のレンズシートに備えられる凸条部１１等の被ガイド部の材質は、記録装置２等の記録装置に備えられるシートガイド４等のシートガイドに設けられるガイド溝１４や底部１０４Ｂ等のガイド部の材質に比べて硬度の低い材質で形成することが好ましい。例えば、該被ガイド部を、ＰＥＴ（Ｐｏｌｙｅｔｈｙｌｅｎｅ  Ｔｅｒｅｐｈｔｈａｌａｔｅ）、アクリル等の材質により形成し、他方、該ガイド部をポリカーボネイトやＦＲＰ（Ｆｉｂｅｒ  Ｒｅｉｎｆｏｒｃｅｄ  Ｐｌａｓｔｉｃｓ） 等の材質により形成する。
【００９５】
このように該被ガイド部を該ガイド部よりの硬度の小さな材質で形成することにより、該ガイド部の該被ガイド部との摺接による磨耗変形を抑えることができ、該レンズシートの搬送精度を長期間、あるいは多数回の搬送に亘って維持することができる。つまり、該被ガイド部は、該レンズシート毎に設けられる消耗品であり、少なくとも該レンズシートが搬送される間だけ磨耗変形が防止されれば足りる。一方、該ガイド部は、該レンズシートが搬送される度に繰り返し利用されるものである。そのため、該ガイド部については、長期間あるいは多数回の利用によっても容易に磨耗変形しないようにすることが要求される。そこで、上述したように、該被ガイド部を該ガイド部に比べて硬度の低い材質で形成することで、該ガイド部の耐摩耗性の向上が図られ、該レンズシートの搬送精度を、長期間、あるいは多数回の搬送に亘って維持することができる。
【００９６】
上述のレンズシート１等のレンズシートは、樹脂シート８はレンチキュラーレンズ９とは別に形成されていて、この樹脂シート８をレンチキュラーレンズ９の担持部とし、レンチキュラーレンズ９を樹脂シート８に形成する構成となっている。しかしながら、レンズシート１等のレンズシートは、樹脂シート８に相当するレンチキュラーレンズ９の担持する部分とレンチキュラーレンズ９とを一体成型した構成のものとしてもよい。
【００９７】
（搬送角度の検出）
ところで、シートガイド４等のシートガイドの筐体３への取り付け位置、あるいは凸条部１１等の凸条部や突出部１０９、側面１２０Ｓの形成位置、さらにはガイド溝１４，ガイド溝１０４等のガイド溝の形成位置等、レンズシート１，３０等のレンズシートの搬送精度に関わる構成が、該レンズシートを主走査方向に対して直交するように精度高く搬送できるように設定されている場合は、該レンズシートを所定の位置に搬送することができる。そのため、該レンズシートの所定の位置に記録を行うことができる。一方、例えば、該シートガイドの筐体３への取り付け等が、該レンズシートを主走査方向に対して直交する方向に搬送できるように設定されていない場合には、該レンズシートは主走査方向に直交する方向に対して斜行して搬送されてしまう。その結果、該レンズシートは搬送されるにつれて、斜行方向に応じて左右いずれかに変位しながら搬送されることになり、該レンズシートの所定の位置に記録を行うことができない。
【００９８】
しかしながら、例えば、レンズシート１は、被ガイド部である凸条部１１がガイド部であるガイド溝１４にガイドされた状態で搬送される。他のレンズシート（レンズシート３０等）についても同様に、それぞれの被ガイド部（凸条部３２等）が各被ガイド部に対応するガイド部（ガイド溝１４等）にガイドされるため、一定の斜行状態が維持されたまま搬送される。つまり、該レンズシートが搬送された距離と該レンズシートが左方または右方に変位する量とは比例する。したがって、主走査方向に直交する方向に対する該レンズシートの搬送方向の傾斜角を予め測定し、記録を行うための記録用画像データを、この傾斜角に対応して補正することで、該レンズシートが斜行して搬送される場合にも、該レンズシートの所定位置に記録を行うことができる。
【００９９】
傾斜角の測定の測定は次のようにして行うことができる。記録装置２（６０，７１，１０１，１２１）により、図１４に示すように、該レンズシートに対して検査用の画像である複数本のラインＲｎから構成される検査用画像ＣＭを記録する。これらのラインＲｎは、画像データ上では、ラインＲｎの中の中心のラインＲＡを所定の搬送方向に沿ったラインとし、このラインＲＡを中心に、このラインＲＡの左右に有るラインＲｎを左右で異なる方向に同一角度ずつ順に傾斜を累積させたものとする。
【０１００】
例えば、ラインＲＡよりも右側のラインＲｎは、搬送方向に向かって時計回りに０．０１度刻みで順に傾斜角を増すように設定し、ラインＲＡよりも左側のラインＲｎは、搬送方向に向かって反時計回りに０．０１度刻みで順に傾斜角を増すように設定する。このような検査用の画像データに基づいて、該ガイド部にガイドされながら搬送される該レンズシートに検査用画像ＣＭを記録する。そして、該レンズシートに記録された検査用画像ＣＭをレンチキュラーレンズの側から見ると、図１５に示すように、ラインＲｎの中でレンチキュラーレンズのレンズ要素の母線（稜線）に沿って記録されているラインＲＢについては、連続した１本のラインとして視認することができる。他方、レンズ要素の母線（稜線）に沿って記録されていないラインＲｎについては複数のレンズ要素にまたがって記録されるため、例えば、ラインＲＣ等のように不連続に左右のいずれかの方向に分断されたラインとなる。
【０１０１】
したがって、ラインＲｎの中で、レンチキュラーレンズを介して１本のラインで見ることができるラインＲＢに対応するラインＲｎの傾斜角を、該レンズシートの搬送方向が主走査方向に直交する方向に傾斜する傾斜角として測定できる。そして、この測定された傾斜角に基づいて記録用画像データを回転させた補正画像データを生成する。該レンズシート１への画像の記録をこの補正画像データに基づいて行うことで、該レンズシートが斜行して搬送される場合も所定位置に画像を記録することができる。
【０１０２】
なお、上述の該レンズシートの搬送方向の傾斜角の測定は、０．０１度刻みの傾斜角でラインが形成された１種類の検査用画像を用いて行ったが、傾斜角の変化量が違う２種類の検査用画像を用いて該レンズシートのガイド方向の傾斜角を測定してもよい。例えば、０．０５度刻みの傾斜角でラインが形成された第１の検査用画像を該レンズシートに記録し、この検査用画像をレンチキュラーレンズを介して見たときに最も１ラインの長さが長いラインを特定する。次いで、別の該レンズシートにこのラインの傾斜角を中心にして左右に０．０１度刻みの傾斜角でラインが形成される第２の検査用画像を記録する。そして、第２の検査用画像をレンチキュラーレンズを介して見たときに最も１ラインの長さが長いラインを特定する。このラインの傾斜角を、該レンズシートが搬送方される方向が、主走査方向に直交する方向に対して成す傾斜角として測定することができる。
【０１０３】
このように、２種類の検査用画像を用いて該レンズシートが搬送される方向の傾斜角を測定することで、測定できる傾斜角の範囲を広げるとともに、精度の高い測定を行うことができる。つまり、０．０１度刻みの傾斜角でラインが形成される検査用画像だけの場合は、中心のラインの両側に０．０１度刻みのラインの本数倍までしか傾斜角の測定を行うことができない。しかしながら、０．０５度刻みの傾斜角でラインが形成される検査用画像を使用することで、広い範囲の傾斜角を測定でき、さらにその次に、０．０１度刻みの傾斜角でラインが形成される検査用画像を使用することで、精度の高い傾斜角の測定を行うことができる。検査用画像の種類を増やすことで、さらに広い範囲でかつ精度の高い搬送傾斜角の測定を行うことができる。
【符号の説明】
【０１０４】
１，３０，４０，５０，７０，８０，９０，１００，１２０…レンズシート（記録媒体）、２，６０，７１，１０１，１２１…記録装置、４，６１，７３，１０２，１２２…シートガイド（支持手段）、９，４１…レンチキュラーレンズ、１１，３２，４２，５１，７２，８４，９３…凸条部（被ガイド部）、１４，７４，１０４，１２４…ガイド部（ガイド溝）、８１，９１，１０８…記録領域、８３，９４，１１０…ミシン目、１０４Ｂ，１２４Ｂ…底部（ガイド部）、１０９…突出部（被ガイド部）、１２０Ｓ…側面（被ガイド部）。
【図１】
0005708722.tif 000002
【図２】
0005708722.tif 000003
【図３】
0005708722.tif 000004
【図４】
0005708722.tif 000005
【図５】
0005708722.tif 000006
【図６】
0005708722.tif 000007
【図７】
0005708722.tif 000008
【図８】
0005708722.tif 000009
【図９】
0005708722.tif 000010
【図１０】
0005708722.tif 000011
【図１１】
0005708722.tif 000012
【図１２】
0005708722.tif 000013
【図１３】
0005708722.tif 000014
【図１４】
0005708722.tif 000015
【図１５】
0005708722.tif 000016